(57)【特許請求の範囲】
【請求項１】
体幹の輪郭に合せて骨盤支持体と脊柱支持体と両側の上位胸椎矯正体および胸椎矯正体
とが一体に形成され、該骨盤支持体と上位胸椎矯正体および胸椎矯正体の各前部は各々開
放状に形成されると共に、該各開放端には装着バンドが付設されてなる前開き状の側弯矯
正装具において、上記胸椎矯正体にはその動きの自由度を担保せしめるべく所要の幅と長
さを備えたスリットが形成され、該スリットは胸椎矯正体の開放端部より脊柱支持体方向
に向けて切欠き状に形成されてなることを特徴とする、側弯矯正装具。  
【発明の詳細な説明】
【技術分野】
【０００１】
本発明は、側弯症を矯正するさいに使用するアンダ−ア−ム型の側弯矯正装具に関する
。
【背景技術】
【０００２】
側弯症は、脊柱が右または左に弯曲したもので、多くの場合に脊柱の回旋を伴うもので
ある。そして、かかる弯曲の程度は、側弯の上端の椎骨と下端の椎骨がつくる角度で表わ
され、軽症の場合には目立たないが、１５度を越える場合には外見上も明らかとなり、両
肩や肩甲骨の高さが異なってくる。そして、前屈すると、脊柱の凸側の脊部の肋骨が後方
にふくらみ、重症になると単に外見上の問題だけでなく、胸郭の変形から呼吸機能が低下
するのみならず、心臓機能の低下を惹起せしめるものであり、一般に２０度を越える場合
には治療が必要とされるものである。
【０００３】
そして、かかる側弯症の治療としては、特開平５−４２１７５号公報、特開平６−２９
６６３７号公報などに開示されている腰椎牽引装置を用いて懸垂や斜面牽引などを行う運
動療法、側弯矯正装具を用いる保存方法が知られている。
【０００４】
ところで、上記保存方法に用いられる側弯矯正装具としては、一般的には非特許文献１
記載のミルウォ−キ−型、アンダ−ア−ム型ボストンタイプのものが使用されているが、
麻痺性側弯症（脳性麻痺や筋肉、神経の病気に伴う側弯症）などについては非特許文献２
記載のホ−ルディングタイプのものが知られている。そして、かかるホ−ルディングタイ
プの側弯矯正装具は、体幹の輪郭に合せて骨盤支持体と脊柱支持体と両側の上位胸椎矯正
体および胸椎矯正体とが一体に形成され、該骨盤支持体と上位胸椎矯正体および胸椎矯正
体の各前部は各々開放状に形成されると共に、該各開放端には装着バンドが付設された基
本構成よりなるものである。
【０００５】
上述の如く構成された非特許文献２記載の側弯矯正装具は、体幹にぴったりと装着して
体幹を矯正保持せしめ、反射による矯正が期待できない麻痺性側弯症等の矯正に使用する
ものである。
【先行技術文献】
【非特許文献】
【０００６】
【非特許文献１】社団法人日本義肢協会「靴型装具・体幹装具」（２０１２年４月２３日検索）、インタ−ネット＜ＵＲＬ：ｈｔｔｐ：//ｗｗｗ．ｊ−ｏｐａ．ｏｒ．ｐ／ｓｏｕｇｕｔｏｈａ／ｓｏｕｇｕｎｉｔｕｉｔｅ．ｈｔｍ＞
【非特許文献２】有限会社永野義肢「側弯矯正装具  ホ−ルディング」（２０１２年４月２３日検索）、インタ−ネット＜ＵＲＬ：ｈｔｔｐ：//ｗｗｗ．ｎａｇａｎｏｇｉｓｈｉ．ｊｐ／ｓｕｂ／ｂｒａｃｅ．ｈｔｍｌ＞
【発明の概要】
【発明が解決しようとする課題】
【０００７】
ところで、上記非特許文献２記載の側弯矯正装具は、体幹の輪郭に合せて形成されてい
るから、体幹にぴったりとフィットし、麻痺性側弯症等の側弯矯正を行うことが出来る反
面、体幹にぴったりフィットしているため胸椎矯正体の動きの自由度が殆んどないもので
ある。このため、長時間にわたる使用時には装着疲れなどを生起せしめるのみならず、装
着バンドが不必要な個所に当りやすく、不快な装着感を生起せしめやすいものとなってい
た。
【０００８】
本発明は従来の課題を解決し、胸椎矯正体にスリットを形成せしめて動きの自由度を担
保せしめ、常に長時間にわたって好適な装着感でもって麻痺性側弯症等の矯正を行うこと
が出来る、側弯矯正装具を提供しようとするものである。
【課題を解決するための手段】
【０００９】
上記の目的を達成するため、本発明の請求項１記載の発明は、体幹の輪郭に合せて骨盤
支持体と脊柱支持体と両側の上位胸椎矯正体および胸椎矯正体とが一体に形成され、該骨
盤支持体と上位胸椎矯正体および胸椎矯正体の各前部は各々開放状に形成されると共に、
該各開放端には装着バンドが付設されてなる前開き状の側弯矯正装具において、上記胸椎
矯正体にはその動きの自由度を担保せしめるべく所要の幅と長さを備えたスリットが形成
され、該スリットは胸椎矯正体の開放端部より脊柱支持体方向へ向けて切欠き状に形成さ
れてなることを特徴とする、側弯矯正装具を要旨とするものである。    
【発明の効果】
【００１０】
本発明の請求項１記載の発明は、上述のように構成されているから、体幹にぴったりと
フィットして装着せしめることが出来るのみならず、胸椎矯正体の開放端部より脊柱支持
体方向に向けて形成されたスリットを介して胸椎矯正体の動きの自由度を担保せしめつつ
装着バンドを適正位置に当接せしめることが出来るものであって、ひいては、常に長時間
にわたって好適な装着感をもって麻痺性側弯症等の矯正を行うことが出来るものである。
【図面の簡単な説明】
【００１１】
【図１】本発明の一実施例を示す正面図である。
【図２】本発明の一実施例を示す側面図である。
【図３】本発明の一実施例を示す背面図である。
【発明を実施するための形態】
【００１２】
以下に、本発明を実施するための形態を図面に示す一実施例に基づいて説明する。  
【００１３】
図１〜図３は本発明の一実施例を示すもので、同図中、１は体幹の輪郭に合せて形成さ
れた前開き状の側弯矯正装具で、該側弯矯正装具１はサブオルソレンや軟質ポリエチレン
などの熱可塑性樹脂により成型されている。２は上記側弯矯正装具１を構成する略欠楕円
形状の骨盤支持体、３は脊柱を支持せしめるべく該骨盤支持体２の背部中央に一体に立設
された脊柱支持体、４は胸椎弯曲を矯正せしめるべく骨盤支持体２より該脊柱支持体３の
一側に一体形成された胸椎矯正体、５は該胸椎矯正体４の上端部内面に取付けられたパッ
ド、６は同胸椎矯正体４の動きの自由度を担保せしめるべくその前側開放下端部より脊柱
支持体３方向に向けて切欠き状に形成された所要の幅と長さを有するスリット、７は胸椎
弯曲を矯正せしめるべく骨盤支持体２より脊柱支持体３の他側に一体形成された上位胸椎
矯正体、８は該上位胸椎矯正体７と胸椎矯正体４との前側開放端部を緊締せしめるべく付
設された胸椎矯正体用装着バンド、９は骨盤支持体２の前側開放端部を緊締せしめるべく
付設された骨盤支持体用装着バンドである。そして、かかる装着バンド８・９は各々取付
けリング１０を介して折返し状に取付けられると共に、その折返し半部の一方には雌面フ
ァスナ−１１が、同他方には雄面ファスナ−１２が係着自在に取付けられている。
【００１４】
そして、上述の如く構成された側弯矯正装具１は、骨盤支持体２を人体の骨盤に、脊柱
支持体３を脊柱に、胸椎矯正体４のパッド５を胸椎弯曲の対側に、上位胸椎矯正体７を他
側の上位胸椎に各々外嵌状に当てがいつつ当接せしめる。しかるのち、装着バンド８によ
り上位胸椎矯正体７と胸椎矯正体４の前部開放端部を緊締せしめると共に、装着バンド９
により骨盤支持体２の前側開放端部を緊締せしめ、側弯矯正装具１を体幹にぴったりとフ
ィットせしめた状態に装着して麻痺性側弯症等における側弯矯正せしめる。このさい、胸
椎矯正体４には胸椎矯正体４の開放端部より脊柱支持体３方向へ向けてスリット６が形成
されているから、かかるスリット６を介して胸椎矯正体４の動きの自由度を担保せしめつ
つ装着バンド８を適正位置に当接せしめることが出来るものであり、常に長時間にわたっ
て好適な装着感をもって側弯矯正を行うことが出来るものである。
【００１５】
なお、胸椎矯正体４にのみパッド５が取付けられているが、必要に応じて上位胸椎矯正
体７の上端部内面側にも取付けてもよいものである。また、装着バンド８・９は雌雄面フ
ァスナ−１１・１２でもって緊締係着せしめるものとされているが、これに限定されるも
のでなく、他の緊締手段を介して緊締せしめてもよいものである。
【符号の説明】
【００１６】
１  側弯矯正装具
２  骨盤支持体
３  背柱支持体
４  胸椎矯正体
６  スリット  
７  上位胸椎矯正体
８  装着バント
９  装着バンド
【図１】
0005386612.tif 000002
【図２】
0005386612.tif 000003
【図３】
0005386612.tif 000004